(57)【特許請求の範囲】
【請求項１】
光学部材を介して露光ビームで基板を露光する液浸露光装置であって、
前記基板を載置し、前記光学部材に対して相対移動可能なテーブルと、
表面を有する部材と、
前記光学部材と対向して前記表面を位置付けるように前記部材を保持する保持部材と、を備え、
前記テーブルは、前記光学部材と対向して位置付けられるとともに、前記光学部材とその位置付けられるテーブルとの間に維持される液浸液体に対して前記載置した基板を相対的に移動し、
前記部材は、前記テーブルによって前記基板が前記光学部材と対向して位置付けられる間、前記光学部材の直下から離れて位置付けられるとともに、前記保持部材によって前記表面が前記光学部材と対向して位置付けられる間、前記テーブルの代わりに前記光学部材の下に前記液浸液体を維持し、
前記テーブルは、前記保持部材によって前記表面が前記光学部材と対向して位置付けられる前記部材の下方で、前記光学部材の直下から離れるように前記部材に対して相対的に移動されるとともに、前記部材によって前記光学部材の下に前記液浸液体が維持される間、前記光学部材の直下から離れて位置付け可能である。
【請求項２】
請求項１に記載の液浸露光装置において、
前記テーブルと前記部材とは相対移動可能である。
【請求項３】
光学部材を介して露光ビームで基板を露光する液浸露光装置であって、
前記基板を載置するテーブルと、
前記テーブルに対して相対移動可能な部材と、
前記光学部材と対向して位置付けられるように前記部材を保持する保持部材と、を備え、
前記テーブルと前記部材とはそれぞれ、前記光学部材と対向して位置付けられることによって、前記光学部材の下に液浸液体を維持し、
前記部材は、前記テーブルによって前記基板が前記光学部材と対向して位置付けられる間、前記光学部材の直下から離れて位置付けられ、
前記テーブルは、前記保持部材によって前記表面が前記光学部材と対向して位置付けられる前記部材の下方で、前記光学部材の直下から離れるように前記部材に対して相対的に移動されるとともに、前記部材によって前記光学部材の下に前記液浸液体が維持される間、前記光学部材の直下から離れて移動可能となる。
【請求項４】
光学部材を介して露光ビームで基板を露光する液浸露光装置であって、
前記基板を載置するテーブルと、
前記テーブルに対して相対移動可能な部材と、
前記光学部材と対向して位置付けられるように前記部材を保持する保持部材と、を備え、
前記部材は、前記光学部材と対向して位置付けられる前記テーブルによって前記光学部材の下に液浸液体が維持される状態において、前記光学部材の直下から離れて位置付けられ、
前記テーブルは、前記保持部材によって前記表面が前記光学部材と対向して位置付けられる前記部材の下方で、前記光学部材の直下から離れるように前記部材に対して相対的に移動されるとともに、前記部材によって前記光学部材の下に液浸液体が維持される間、前記光学部材の直下から離れて移動可能となる。
【請求項５】
請求項１〜４のいずれか一項に記載の液浸露光装置において、
前記テーブルと前記部材とは、前記光学部材の下方で液浸液体に対して移動され、前記液浸液体は、前記光学部材の下に実質的に維持されつつ前記テーブルから前記部材に移載され、前記テーブルの代わりに前記部材によって前記光学部材の下に維持される。
【請求項６】
請求項５に記載の液浸露光装置において、
前記テーブルと前記部材とは、前記テーブルに載置される基板に対して前記部材が並置された状態で、前記光学部材の下方で液浸液体に対して移動され、前記テーブルの代わりに前記部材によって前記光学部材の下に液浸液体が維持される。
【請求項７】
請求項５に記載の液浸露光装置において、
前記テーブルと前記部材とは、その表面が並置された状態で、前記光学部材の下方で液浸液体に対して移動され、前記テーブルの代わりに前記部材によって前記光学部材の下に液浸液体が維持される。
【請求項８】
請求項１〜７のいずれか一項に記載の液浸露光装置において、
前記テーブルは、前記部材を保持して前記保持部材の下方で移動可能であるとともに、前記光学部材の直下から離れるために前記部材をリリースし、前記リリースされた部材は、前記保持部材によって前記光学部材と対向して位置付けられるように保持される。
【請求項９】
請求項１〜８のいずれか一項に記載の液浸露光装置において、
前記部材は、前記テーブルを有する基板ステージによって前記光学部材と対向して位置付けられるとともに、前記保持部材と前記基板ステージとの一方からリリースされて、前記保持部材と前記基板ステージとの他方に保持される。
【請求項１０】
請求項９に記載の液浸露光装置において、
前記部材は、前記テーブルに載置される基板が前記光学部材と対向して位置付けられる間、前記基板ステージに保持され、前記テーブルが前記光学部材の直下から離れる間、前記保持部材に保持される。
【請求項１１】
請求項１〜１０のいずれか一項に記載の液浸露光装置において、
前記部材は、その表面が前記テーブルの表面と実質的に面一となるように、前記テーブルを有する基板ステージに設けられるとともに、前記テーブルが前記光学部材の直下から離れるために前記基板ステージからリリースされて前記保持部材に保持される。
【請求項１２】
請求項１１に記載の液浸露光装置において、
前記部材は、前記テーブルによって前記基板が前記光学部材と対向して位置付けられる間、前記基板ステージに保持される。
【請求項１３】
請求項１１又は１２に記載の液浸露光装置において、
前記テーブルは、前記載置した基板の表面と実質的に面一となる表面を有する。
【請求項１４】
請求項１１〜１３のいずれか一項に記載の液浸露光装置において、
前記基板ステージは、前記テーブルによって、前記保持部材からリリースされた前記部材を保持する。
【請求項１５】
請求項１〜１４のいずれか一項に記載の液浸露光装置において、
前記保持部材は、前記部材をリリース可能に保持し、
前記テーブルは、前記保持部材からリリースされる前記部材の載置部を有する。
【請求項１６】
請求項１５に記載の液浸露光装置において、
前記載置部は、前記テーブルの基板保持部と異なる位置に設けられる。
【請求項１７】
請求項１６に記載の液浸露光装置において、
前記載置部は、前記部材を保持するクランプ部材を含む。
【請求項１８】
請求項１７に記載の液浸露光装置において、
前記クランプ部材は、真空クランプ、静電クランプ、及びメカニカルクランプの１つを含む。
【請求項１９】
請求項１５〜１８のいずれか一項に記載の液浸露光装置において、
前記テーブルに載置される基板の露光中、前記部材は、前記載置部に載置される。
【請求項２０】
請求項１５〜１９のいずれか一項に記載の液浸露光装置において、
前記載置部に載置される前記部材は、前記テーブルの移動によって前記基板の代わりに前記光学部材と対向して位置付けられるとともに、前記テーブルからリリースされて前記保持部材で保持される。
【請求項２１】
請求項２０に記載の液浸露光装置において、
前記保持部材で保持される前記部材によって、前記光学部材の下に前記液浸液体が維持される間、前記テーブルは、前記光学部材の直下から離れて移動可能である。
【請求項２２】
請求項１〜２１のいずれか一項に記載の液浸露光装置において、
それぞれ基板を載置する、前記テーブルを含む２つのテーブルを有するステージアセンブリによって、前記２つのテーブルにそれぞれ載置される基板が交互に前記光学部材と対向して位置付けられ、
前記保持部材からリリースされた前記部材は、前記露光が行われる基板を載置する、前記２つのテーブルの一方に設けられる。
【請求項２３】
請求項２２に記載の液浸露光装置において、
前記部材は、前記光学部材と対向して位置付けられる前記２つのテーブルの一方が他方に置き換えられる間、前記保持部材によって前記光学部材と対向して位置付けられる。
【請求項２４】
請求項１〜２３のいずれか一項に記載の液浸露光装置において、
前記光学部材と対向して位置付けられる前記テーブルの前記部材への置換において、前記光学部材の下に前記液浸液体が実質的に維持される、あるいは、前記光学部材は前記液浸液体との接触が実質的に維持される。
【請求項２５】
請求項２４に記載の液浸露光装置において、
前記部材はその表面が、前記光学部材と対向して位置付けられる前記基板の表面と並んで配置され、
前記テーブルと前記部材とは、前記基板の代わりに前記部材が前記光学部材と対向して位置付けられるまで、前記並置された状態で、前記光学部材に対して移動され、
前記保持部材は、前記光学部材と対向して位置付けられる前記部材を保持して、前記光学部材の下に前記液浸液体を維持する。
【請求項２６】
請求項２５に記載の液浸露光装置において、
前記テーブルは、前記部材の載置部を有し、
前記部材は、前記テーブルが前記光学部材と対向して位置付けられる間、前記テーブルに載置され、前記テーブルが前記光学部材の直下から離れるために、前記載置部からリリースされて前記保持部材で保持される。
【請求項２７】
請求項１〜２６のいずれか一項に記載の液浸露光装置において、
前記テーブルと前記部材とは、前記光学部材と前記基板との間に前記液浸液体が維持される第１状態から、前記光学部材と前記部材との間に前記液浸液体が維持される第２状態に遷移するように、前記光学部材に対して移動され、前記第２状態では、前記保持部材によって前記部材が保持される。
【請求項２８】
請求項１〜２７のいずれか一項に記載の液浸露光装置において、
前記テーブルは、前記保持部材によって前記光学部材と対向して位置付けられる前記部材に対して相対的に移動されるとともに、前記光学部材の直下から離れて移動可能である。
【請求項２９】
請求項１〜２８のいずれか一項に記載の液浸露光装置において、
前記保持部材は、前記光学部材に対して前記基板を相対的に移動する前記テーブルの上方に配置され、
前記テーブルは、前記保持部材に対して相対移動可能である。
【請求項３０】
請求項１〜２９のいずれか一項に記載の液浸露光装置において、
前記部材によって前記光学部材の下に前記液浸液体が維持される間、前記テーブルは、前記基板のアライメントが行われるアライメント領域内で移動可能である。
【請求項３１】
請求項１〜３０のいずれか一項に記載の液浸露光装置において、
前記テーブルに載置される基板の露光中、前記部材は、前記光学部材の直下から離れて位置付けられる。
【請求項３２】
請求項１〜３１のいずれか一項に記載の液浸露光装置において、
前記基板が前記光学部材と対向して位置付けられる間、前記部材は、前記保持部材からリリースされて前記テーブルに載置される。
【請求項３３】
請求項１〜３２のいずれか一項に記載の液浸露光装置において、
前記部材によって前記光学部材の下に前記液浸液体が維持される間、前記テーブルは前記光学部材の直下から離れて、前記基板の露光動作と異なる動作が行われる。
【請求項３４】
請求項３３に記載の液浸露光装置において、
前記異なる動作は、前記基板のロード及び／又はアンロードを含む。
【請求項３５】
請求項３４に記載の液浸露光装置において、
前記異なる動作は、前記基板のアライメントを含む。
【請求項３６】
請求項１〜３５のいずれか一項に記載の液浸露光装置において、
前記基板のアライメントを行うアライメントシステムを、さらに備え、
前記部材によって前記光学部材の下に前記液浸液体が維持される間、前記アライメントシステムによって、前記テーブルに載置される基板のアライメントが行われる。
【請求項３７】
請求項１〜３６のいずれか一項に記載の液浸露光装置において、
前記テーブルに載置される基板を交換する交換システムを、さらに備え、
前記部材によって前記光学部材の下に前記液浸液体が維持される間、前記交換システムによって、前記テーブルに載置される基板の交換が行われる。
【請求項３８】
請求項３７に記載の液浸露光装置において、
前記テーブルが前記光学部材と対向して位置付けられる間、前記光学部材と前記液浸液体とを介して前記テーブルに載置される基板の露光が行われ、
前記部材によって前記光学部材の下に前記液浸液体が維持される間、前記交換システムによって、前記テーブルに載置される前記露光された基板の交換が行われる。
【請求項３９】
請求項１〜３８のいずれか一項に記載の液浸露光装置において、
前記部材は、その表面が前記液浸液体を弾く、あるいはコーティング面である。
【請求項４０】
光学部材を介して露光ビームで基板を露光する液浸露光方法であって、
前記基板を載置するテーブルによって、前記光学部材と対向して前記載置した基板を位置付けることと、
前記光学部材と液浸液体とを介して、前記テーブルに載置される基板を露光することと、
前記基板の代わりに、前記光学部材と対向してその表面が位置付けられるように部材を保持することと、を含み、
前記基板の露光において、前記液浸液体は、前記光学部材と前記テーブルとの間に維持されるとともに、前記基板は、前記テーブルによって前記液浸液体に対して相対移動され、
前記部材は、前記テーブルによって前記基板が前記光学部材と対向して位置付けられる間、前記光学部材の直下から離れて位置付けられるとともに、前記部材の保持部材によって前記表面が前記光学部材と対向して位置付けられる間、前記光学部材の下に前記液浸液体を維持し、
前記テーブルは、前記保持部材によって前記表面が前記光学部材と対向して位置付けられる前記部材の下方で、前記光学部材の直下から離れるように前記部材に対して相対的に移動されるとともに、前記部材によって前記光学部材の下に前記液浸液体が維持される間、前記光学部材の直下から離れて位置付け可能である。
【請求項４１】
請求項４０に記載の液浸露光方法において、
前記テーブルと前記部材とは相対移動可能である。
【請求項４２】
光学部材を介して露光ビームで基板を露光する液浸露光方法であって、
前記基板を載置するテーブルによって、前記光学部材と対向して前記基板を位置付けられることと、
前記光学部材と液浸液体とを介して前記露光が行われた基板の代わりに、前記テーブルに対して相対移動可能な部材が前記光学部材と対向して位置付けられるようにその部材を保持部材で保持することと、を含み、
前記テーブルと前記部材とはそれぞれ、前記光学部材と対向して位置付けられることによって、前記光学部材の下に液浸液体を維持し、
前記部材は、前記テーブルによって前記基板が前記光学部材と対向して位置付けられる間、前記光学部材の直下から離れて位置付けられ、
前記テーブルは、前記保持部材によって前記表面が前記光学部材と対向して位置付けられる前記部材の下方で、前記光学部材の直下から離れるように前記部材に対して相対的に移動されるとともに、前記部材によって前記光学部材の下に前記液浸液体が維持される間、前記光学部材の直下から離れて移動可能となる。
【請求項４３】
光学部材を介して露光ビームで基板を露光する液浸露光方法であって、
前記基板を載置するテーブルによって、前記光学部材と対向して前記基板を位置付けられることと、
前記光学部材と液浸液体とを介して前記露光が行われた基板の代わりに、前記テーブルに対して相対移動可能な部材が前記光学部材と対向して位置付けられるようにその部材を保持部材で保持することと、を含み、
前記部材は、前記光学部材と対向して位置付けられる前記テーブルによって前記光学部材の下に液浸液体が維持される状態において、前記光学部材の直下から離れて位置付けられ、
前記テーブルは、前記保持部材によって前記表面が前記光学部材と対向して位置付けられる前記部材の下方で、前記光学部材の直下から離れるように前記部材に対して相対的に移動されるとともに、前記部材によって前記光学部材の下に液浸液体が維持される間、前記光学部材の直下から離れて移動可能となる。
【請求項４４】
請求項４０〜４３のいずれか一項に記載の液浸露光方法において、
前記テーブルと前記部材とは、前記光学部材の下方で液浸液体に対して移動され、前記液浸液体は、前記光学部材の下に実質的に維持されつつ前記テーブルから前記部材に移載され、前記テーブルの代わりに前記部材によって前記光学部材の下に維持される。
【請求項４５】
請求項４４に記載の液浸露光方法において、
前記テーブルと前記部材とは、前記テーブルに載置される基板に対して前記部材が並置された状態で、前記光学部材の下方で液浸液体に対して移動され、前記テーブルの代わりに前記部材によって前記光学部材の下に液浸液体が維持される。
【請求項４６】
請求項４４に記載の液浸露光方法において、
前記テーブルと前記部材とは、その表面が並置された状態で、前記光学部材の下方で液浸液体に対して移動され、前記テーブルの代わりに前記部材によって前記光学部材の下に液浸液体が維持される。
【請求項４７】
請求項４０〜４６のいずれか一項に記載の液浸露光方法において、
前記テーブルは、前記部材を保持して前記保持部材の下方で移動可能であるとともに、前記光学部材の直下から離れるために前記部材をリリースし、前記リリースされた部材は、前記保持部材によって前記光学部材と対向して位置付けられるように保持される。
【請求項４８】
請求項４０〜４７のいずれか一項に記載の液浸露光方法において、
前記部材は、前記テーブルを有する基板ステージによって前記光学部材と対向して位置付けられるとともに、前記保持部材と前記基板ステージとの一方からリリースされて、前記保持部材と前記基板ステージとの他方に保持される。
【請求項４９】
請求項４８に記載の液浸露光方法において、
前記部材は、前記テーブルに載置される基板が前記光学部材と対向して位置付けられる間、前記基板ステージに保持され、前記テーブルが前記光学部材の直下から離れる間、前記保持部材に保持される。
【請求項５０】
請求項４０〜４９のいずれか一項に記載の液浸露光方法において、
前記部材は、その表面が前記テーブルの表面と実質的に面一となるように、前記テーブルを有する基板ステージに設けられるとともに、前記テーブルが前記光学部材の直下から離れるために前記基板ステージからリリースされて前記保持部材に保持される。
【請求項５１】
請求項５０に記載の液浸露光方法において、
前記部材は、前記テーブルによって前記基板が前記光学部材と対向して位置付けられる間、前記基板ステージに保持される。
【請求項５２】
請求項５０又は５１に記載の液浸露光方法において、
前記テーブルは、前記載置した基板の表面と実質的に面一となる表面を有する。
【請求項５３】
請求項５０〜５２のいずれか一項に記載の液浸露光方法において、
前記基板ステージは、前記テーブルによって、前記保持部材からリリースされた前記部材を保持する。
【請求項５４】
請求項４０〜５３のいずれか一項に記載の液浸露光方法において、
前記部材は、前記保持部材によってリリース可能に保持され、
前記保持部材からリリースされる前記部材は、前記テーブルの載置部に載置される。
【請求項５５】
請求項５４に記載の液浸露光方法において、
前記載置部は、前記テーブルの基板保持部と異なる位置に設けられる。
【請求項５６】
請求項５５に記載の液浸露光方法において、
前記部材は、前記載置部においてクランプ部材によって保持される。
【請求項５７】
請求項５６に記載の液浸露光方法において、
前記クランプ部材は、真空クランプ、静電クランプ、及びメカニカルクランプの１つを含む。
【請求項５８】
請求項５４〜５７のいずれか一項に記載の液浸露光方法において、
前記テーブルに載置される基板の露光中、前記部材は、前記載置部に載置される。
【請求項５９】
請求項５４〜５８のいずれか一項に記載の液浸露光方法において、
前記載置部に載置される前記部材は、前記テーブルの移動によって前記基板の代わりに前記光学部材と対向して位置付けられるとともに、前記テーブルからリリースされて前記保持部材で保持される。
【請求項６０】
請求項５９に記載の液浸露光方法において、
前記保持部材で保持される前記部材によって、前記光学部材の下に前記液浸液体が維持される間、前記テーブルは、前記光学部材の直下から離れて移動可能である。
【請求項６１】
請求項４０〜６０のいずれか一項に記載の液浸露光方法において、
それぞれ基板を載置する、前記テーブルを含む２つのテーブルを有するステージアセンブリによって、前記２つのテーブルにそれぞれ載置される基板が交互に前記光学部材と対向して位置付けられ、
前記保持部材からリリースされた前記部材は、前記露光が行われる基板を載置する、前記２つのテーブルの一方に設けられる。
【請求項６２】
請求項６１に記載の液浸露光方法において、
前記部材は、前記光学部材と対向して位置付けられる前記２つのテーブルの一方が他方に置き換えられる間、前記保持部材によって前記光学部材と対向して位置付けられる。
【請求項６３】
請求項４０〜６２のいずれか一項に記載の液浸露光方法において、
前記光学部材と対向して位置付けられる前記テーブルの前記部材への置換において、前記光学部材の下に前記液浸液体が実質的に維持される、あるいは、前記光学部材は前記液浸液体との接触が実質的に維持される。
【請求項６４】
請求項４０〜６３のいずれか一項に記載の液浸露光方法において、
前記部材はその表面が、前記光学部材と対向して位置付けられる前記基板の表面と並んで配置され、前記テーブルと前記部材とは、前記基板の代わりに前記部材が前記光学部材と対向して位置付けられるまで、前記並置された状態で、前記光学部材に対して移動され、
前記保持部材は、前記光学部材と対向して位置付けられる前記部材を保持して、前記光学部材の下に前記液浸液体を維持する。
【請求項６５】
請求項４０〜６４のいずれか一項に記載の液浸露光方法において、
前記テーブルは、前記部材の載置部を有し、
前記部材は、前記テーブルが前記光学部材と対向して位置付けられる間、前記テーブルに載置され、前記テーブルが前記光学部材の直下から離れるために、前記載置部からリリースされて前記保持部材で保持される。
【請求項６６】
請求項４０〜６５のいずれか一項に記載の液浸露光方法において、
前記テーブルと前記部材とは、前記光学部材と前記基板との間に前記液浸液体が維持される第１状態から、前記光学部材と前記部材との間に前記液浸液体が維持される第２状態に遷移するように、前記光学部材に対して移動され、前記第２状態では、前記保持部材によって前記部材が保持される。
【請求項６７】
請求項４０〜６６に記載の液浸露光方法において、
前記テーブルは、前記保持部材によって前記光学部材と対向して位置付けられる前記部材に対して相対的に移動されるとともに、前記光学部材の直下から離れて移動可能である。
【請求項６８】
請求項４０〜６７のいずれか一項に記載の液浸露光方法において、
前記保持部材は、前記光学部材に対して前記基板を相対的に移動する前記テーブルの上方に配置され、
前記テーブルは、前記保持部材に対して相対移動可能である。
【請求項６９】
請求項４０〜６８のいずれか一項に記載の液浸露光方法において、
前記部材によって前記光学部材の下に前記液浸液体が維持される間、前記テーブルは、前記基板のアライメントが行われるアライメント領域内で移動可能である。
【請求項７０】
請求項４０〜６９のいずれか一項に記載の液浸露光方法において、
前記テーブルに載置される基板の露光中、前記部材は、前記光学部材の直下から離れて位置付けられる。
【請求項７１】
請求項４０〜７０のいずれか一項に記載の液浸露光方法において、
前記基板が前記光学部材と対向して位置付けられる間、前記部材は、前記保持部材からリリースされて前記テーブルに載置される。
【請求項７２】
請求項４０〜７１のいずれか一項に記載の液浸露光方法において、
前記部材によって前記光学部材の下に前記液浸液体が維持される間、前記テーブルは前記光学部材の直下から離れて、前記基板の露光動作と異なる動作が行われる。
【請求項７３】
請求項７２に記載の液浸露光方法において、
前記異なる動作は、前記基板のロード及び／又はアンロードを含む。
【請求項７４】
請求項７３に記載の液浸露光方法において、
前記異なる動作は、前記基板のアライメントを含む。
【請求項７５】
請求項４０〜７４のいずれか一項に記載の液浸露光方法において、
前記部材によって前記光学部材の下に前記液浸液体が維持される間、前記テーブルに保持される基板のアライメントが行われる。
【請求項７６】
請求項４０〜７５のいずれか一項に記載の液浸露光方法において、
前記部材によって前記光学部材の下に前記液浸液体が維持される間、前記テーブルに載置される基板の交換が行われる。
【請求項７７】
請求項７６に記載の液浸露光方法において、
前記テーブルが前記光学部材と対向して位置付けられる間、前記光学部材と前記液浸液体とを介して前記テーブルに載置される基板の露光が行われ、
前記部材によって前記光学部材の下に前記液浸液体が維持される間、前記テーブルに載置される前記露光された基板の交換が行われる。
【請求項７８】
請求項４０〜７７のいずれか一項に記載の液浸露光方法において、
前記部材は、その表面が前記液浸液体を弾く、あるいはコーティング面である。
【請求項７９】
デバイス製造方法であって、
請求項１〜３９のいずれか一項に記載の液浸露光装置を用いてワークピースを露光することと、
前記露光されたワークピースを現像することと、を含む。
【請求項８０】
デバイス製造方法であって、
請求項４０〜７８のいずれか一項に記載の液浸露光方法を用いてワークピースを露光することと、
前記露光されたワークピースを現像することと、を含む。
【発明の詳細な説明】
【技術分野】
【０００１】
本願は、２００３年４月１１日に出願された、「”液浸リソグラフィ用着水パッド”（Landing Pad for Immersion Lithography）」と題する、仮出願第６０／４６２，４９９号に基づく優先権を主張しており、あらゆる目的でその出願の内容をここに援用して本文の記載の一部とする。
【背景技術】
【０００２】
リソグラフィシステムは半導体製造工程において、レチクルから半導体ウェハ上に像を転写するために一般に用いられている。典型的なリソグラフィシステムは、光学アセンブリと、パターンを定義しているレチクルを保持するためのレチクルステージと、半導体ウェハを位置決めするウェハステージと、レチクル及びウェハの位置を正確にモニターするための測定システムとを有する。操作中、レチクルにより定義される像は光学アセンブリによってウェハ上に投影される。投影された像は、典型的には、ウェハ上の１つもしくはそれ以上のダイ（区画）の大きさである。露光後、ウェハステージアセンブリはウェハを移動して、別の露光が行われる。このプロセスはウェハ上の全てのダイが露光されるまで繰り返される。その後、ウェハは取り出され、その場所で新しいウェハに交換される。
【０００３】
液浸リソグラフィシステムは、ウェハの露光中、光学アセンブリとウェハとの間のギャップを完全に満たす液浸流体の層を利用する。光学アセンブリと共に液浸流体の光学特性は、通常の光学リソグラフィシステムを用いて現時点で可能なサイズよりも小さなサイズの投影を可能とする。例えば、液浸リソグラフィは、現時点で６５ｎｍ，４５ｎｍ，さらにそれを超える次世代半導体技術として考えられている。そのため、液浸リソグラフィは、予見される将来において光学リソグラフィを継続して使用させるであろう技術的に重要なブレークスルーを代表している。
【０００４】
ウェハが露光された後、露光されたウェハは取り出され、新しいウェハに交換される。液浸システムにおいて現時点で考えられているのは、液浸流体をギャップから除去して、ウェハが交換された後に再び満たすというものである。より具体的には、ウェハが交換される際には、ギャップへの流体の供給が停止され、流体がギャップから除去され（例えば真空によって）、古いウェハが取り出され、新しいウェハが位置決めされて光学アセンブリの下方に置かれ、その後、ギャップは新鮮な液浸流体で再び満たされる。上記の全てのステップ（工程）が完了した後、新しいウェハの露光が開始されることができる。
【先行技術文献】
【特許文献】
【０００５】
【特許文献１】国際公開第９９／４９５０４号
【発明の概要】
【発明が解決しようとする課題】
【０００６】
上記のように、液浸リソグラフィにおけるウェハ交換は、数多くの理由により課題を含んでいる。ギャップへの流体の充填・排出を繰り返すことにより、液浸流体の変動が引き起こされたり、液浸流体内に泡が形成されたりするかもしれない。泡及び不安定な流れは、レチクルの像のウェハ上への投影を妨げ、それにより生産量を減少させるかもしれない。全体のプロセスはまた、多くの工程を含んでおり、時間がかかり、装置の全体のスループットを下げる。
【０００７】
したがって、ウェハステージを投影レンズから遠ざける際に、例えばウェハ交換の間に、投影レンズに隣接するギャップに液浸流体を維持するための装置及び方法が求められている。
【課題を解決するための手段】
【０００８】
リソグラフィマシン（リソグラフィ機）の投影レンズに隣接するギャップに液浸流体を維持するための装置及び方法が開示される。その装置及び方法は、ワークピース上に像を投影するように構成された光学アセンブリと、光学アセンブリに隣接するワークピースを支持するように構成されたワークピーステーブルを含むステージアセンブリとを含んでいる。環境システムはギャップに液浸流体を供給し、そこから液浸流体を排出するために提供される。ワークピースの露光が完了した後、交換システムはワークピースを取り出し、それを第２ワークピースと置き換える。液浸流体システムが提供されて、ワークピーステーブルが投影レンズから遠ざかる際に、ギャップに液浸流体が維持される。従って、第１ワークピースが第２ワークピースに置き換えられた際、ギャップを液浸流体で再び満たす必要はない。
【図面の簡単な説明】
【０００９】
【図１】図１は本発明の特徴を有するリソグラフィマシンの図である。
【図２】図２は本発明の一実施形態に従う液浸リソグラフィマシンの断面図である。
【図３】図３Ａ及び３Ｂは、本発明の別の実施形態に従う液浸リソグラフィマシンの断面図及び上面図である。
【図４】図４Ａ及び４Ｂは、本発明の別の実施形態に従う液浸リソグラフィマシンの断面図及び上面図である。
【図５】図５Ａ及び５Ｂは、本発明の他の実施形態に従う２つの異なるツインウェハステージの上面図である。
【図６−１】図６Ａは本発明の別の実施形態に従うツインステージリソグラフィマシンの上面図である。
【図６−２】図６Ｂ−６Ｅは本発明に従うウェハ交換を例示す一連の図である。
【図７−１】図７Ａは本発明に従うワークピースを製造するためのプロセスを説明するフローチャートである。
【図７−２】図７Ｂはワークピース加工をより詳細に説明するフローチャートである。
【発明を実施するための形態】
【００１０】
添付図中、同一の参照番号は同一の要素を示す。
【００１１】
図１は本発明の特徴を有するリソグラフィマシン１０の概略図である。リソグラフィマシン１０は、フレーム１２と、照明システム１４（照射装置）と、光学アセンブリ１６と、レチクルステージアセンブリ１８と、ワークピースステージアセンブリ２０と、測定システム２２と、制御システム２４と流体環境システム２６とを有する。リソグラフィマシン１０の要素の設計は、リソグラフィマシン１０の設計の要求に適合するように変更することができる。
【００１２】
一実施形態において、リソグラフィマシン１０は、集積回路のパターン（不図示）をレチクル２８から半導体ウェハ３０（点線で図示）上に転写するために用いられる。リソグラフィマシン１０は設置基盤３２、例えば、地面や台座や床やその他の支持構造に据え付けられる。
【００１３】
本発明の様々な実施形態において、リソグラフィマシン１０は、レチクル２８とウェハ３０を同期させて駆動しつつ、レチクル２８のパターンをウェハ３０上に露光する走査型フォトリソグラフィシステムとして使用されることができる。走査型リソグラフィマシンにおいて、レチクル２８は、レチクルステージアセンブリ１８によって光学アセンブリ１６の光軸に対して垂直に移動され、ウェハ３０はウェハステージアセンブリ２０によって光学アセンブリ１６の光軸に対して垂直に移動される。レチクル２８及びウェハ３０の走査は、レチクル２８及びウェハ３０が同期して移動している間に行われる。
【００１４】
あるいは、リソグラフィマシン１０は、レチクル２８及びウェハ３０が静止している間にレチクル２８に露光するステップ−アンド−リピート型のフォトリソグラフィシステムであってもよい。ステップ−アンド−リピートプロセスにおいて、ウェハ３０は、個々の領域を露光する間、レチクル２８及び光学アセンブリ１６に対して一定の位置に位置付けられる。続いて、連続する露光工程と露光工程の間に、ウェハ３０はウェハステージアセンブリ２０と共に、光学アセンブリ１６の光軸に対して垂直に次々と動かされて、ウェハ３０の次の領域が、光学アセンブリ１６及びレチクル２８に対応する露光のための位置に導かれる。このプロセスに続いて、レチクル２８の像はウェハ３０上の領域に逐次転写され、その後、ウェハ３０の次の領域が光学アセンブリ１６及びレチクル２８に対応する位置に導かれる。
【００１５】
しかしながら、本願に示されているリソグラフィマシン１０の使用は、半導体製造用のフォトリソグラフィに限定される必要はない。例えば、リソグラフィマシン１０は、液晶ディスプレイのワークピースのパターンを矩形のガラス基板上に露光するＬＣＤフォトリソグラフィシステムや薄膜磁気ヘッドを製造するためのフォトリソグラフィシステムとして使用できる。従って、本願において用語「ワークピース」はリソグラフィ法を用いてパターンニングされ得る任意のデバイスを指すために広義に用いられ、ウェハやＬＣＤ基板に限定されない。
【００１６】
装置フレーム１２はリソグラフィマシン１０の要素を支持する。図１に示されている装置フレーム１２は、設置基盤３２上方に、レチクルステージアセンブリ１８、ウェハステージアセンブリ２０、光学アセンブリ１６及び照明システム１４を支持する。
【００１７】
照明システム１４は、照明源３４及び照明光学アセンブリ３６を備える。照明源３４は光エネルギーのビーム（光線）を放出する。照明光学アセンブリ３６は、光エネルギーのビームを照明源３４から光学アセンブリ１６へと導く。ビームはレチクル２８の異なる部分を選択的に照射して、ウェハ３０を露光する。図１において、照明源３４はレチクルステージアセンブリ１８の上方に支持されているように図示されている。しかしながら、典型的には、照明源３４は装置フレーム１２の一側面に固定され、照明源からのエネルギービームは、照明光学アセンブリ３６でレチクルステージアセンブリ１８の上方に向けられる。
【００１８】
照明源３４は、ｇ線（４３６ｎｍ）、ｉ線（３６５ｎｍ）、ＫｒＦエキシマレーザ（２４８ｎｍ）、ＡｒＦエキシマレーザ（１９３ｎｍ）またはＦ２レーザ（１５７ｎｍ）とすることができる。それに代わって、照明源３４は荷電粒子線又はＸ線を発生することができる。
【００１９】
光学アセンブリ１６は、レチクル２８を透過する光をウェハ３０へ投影及び／又は合焦する。リソグラフィマシン１０の設計に応じて、光学アセンブリ１６はレチクル２８上に照射された像を拡大若しくは縮小することができる。光学アセンブリ１６は縮小システムに限定される必要はなく、等倍又はそれ以上の拡大システムであってもよい。
【００２０】
また、波長２００ｎｍ又はそれ未満の真空紫外光（ＶＵＶ）を用いるワークピースの露光では、カタディオプトリック型の光学システムを使用することを考慮することができる。カタディオプトリック型の光学システムの例は、特許公開公報に公開された特開平８−１７１０５４号及びそれに対応する米国特許第５，６６８，６７２号並びに、特開平１０−２０１９５号及びそれに対応する米国特許第５，８３５，２７５号の開示に含まれている。これらの場合において、反射型光学ワークピースは、ビームスプリッター及び凹面鏡を組み込こむカタディオプトリック型光学システムであることができる。特許公開公報に公開された特開平８−３３４６９５号及びそれに対応する米国特許第５，６８９，３７７号並びに、特開平１０−３０３９号及びそれに対応する米国特許第８７３，６０５号（出願日：１９９７年６月１２日）はまた、凹面鏡等を組み込んでいるがビーム分配器を持たない反射−屈折型光学システムを用いており、それらは本発明にも用いることができる。許容される範囲において、上記米国特許及び特許公開公報に記載の日本国特許出願における開示をここに援用して本文の記載の一部とする。
【００２１】
レチクルステージアセンブリ１８は、光学アセンブリ１６及びウェハ３０に対してレチクル２８を保持し、それらに対してレチクル２８を位置決めする。一実施形態において、レチクルステージアセンブリ１８は、レチクル２８を保持するレチクルステージ３８と、レチクルステージ３８及びレチクル２８を移動し且つ位置決めするレチクルステージ駆動アセンブリ４０とを含む。
【００２２】
各々のステージ駆動アセンブリ４０，４４は、それぞれのステージ３８，４２を３つの自由度、３より小さな自由度、３より大きな自由度で動かすことができる。例えば、別の実施形態において、各々のステージ駆動アセンブリ４０，４４はそれぞれのステージ３８，４２を１，２，３，４，５，又は６の自由度で動かすことができる。レチクルステージ駆動アセンブリ４０及びワークピースステージ駆動アセンブリ４４は各々、ロータリーモーター、ボイスコイルモーター、駆動力を発生するためにローレンツ力を利用するリニアモーター、電磁駆動機、平面モーター、又はその他の力による駆動機のような駆動機を一つもしくはそれより多く有する。
【００２３】
フォトリソグラフィシステムにおいて、リニアモーター（米国特許第５，６２３，８５３号又は第５，５２８，１１８号参照。さらにここに援用して本文の記載の一部とする）がウェハステージアセンブリ又はレチクルステージアセンブリに用いられる場合、リニアモーターはエアベアリングを用いるエア浮上型であっても、ローレンツ力又はリアクタンス力を用いる磁気浮上型であってもよい。さらに、ステージはガイドに沿って動かすこともでき、ガイドを使用しないガイドレス型ステージにすることもできる。
【００２４】
あるいは、ステージの一つは平面モーターによって駆動されてもよい。この平面モーターは、二次元的に配置されたマグネットを有するマグネットユニットと、対向する位置に二次元的に配置されたコイルを有する電機子コイルユニットによって生み出される電磁気力によってステージを駆動する。このタイプの駆動システムでは、マグネットユニット又は電機子コイルユニットのいずれかがステージ基盤に接続され、他方のユニットはステージの移動面側に載置される。
【００２５】
上述のステージの移動は、フォトリソグラフィシステムの性能に影響を及ぼすことになる反力を生じる。ウェハ（基板）ステージの動作により生じる反力は、米国特許第５，５２８，１００号及び特開平８−１３６４７５号に記載されているようなフレーム部材の使用により、床（地面）に機械的に転移することができる。さらに、レチクル（マスク）ステージの動作によって発生した反力は、米国特許第５，８７４，８２０号及び特開平８−３３０２２４号に記載されているようなフレーム部材の使用によって、床（地面）に機械的に転移することができる。許容される範囲において、米国特許第５，５２８，１００号、第５，８７４，８２０号及び特開平８−３３０２２４号をここに援用し、本文の記載の一部とする。
【００２６】
測定システム２２は、光学アセンブリ１６又はその他の基準に対するレチクル２８及びウェハ３０の動作をモニターする。この情報によって、制御システム２４は、レチクルステージアセンブリ１８を制御してレチクル２８に正確に位置決めし、ワークピースステージアセンブリ２０を制御してウェハ３０に正確に位置決めすることができる。測定システム２２の設計は変更することができる。例えば、測定システム２２は、多軸レーザー干渉計、エンコーダ、ミラー及び／又は他の測定デバイスを使用することができる。
【００２７】
制御システム２４は測定システム２２から情報を受け取って、レチクル２８及びウェハ３０を正確に位置決めするためにステージ駆動アセンブリ１８，２０を制御する。さらに、制御システム２４は環境システム２６の要素の動作を制御することができる。制御システム２４は一つ又はそれ以上のプロセッサ及び回路を有することができる。
【００２８】
環境システム２６は、光学アセンブリ１６とウェハ３０の間のギャップ（不図示）内の環境を制御する。ギャップは結像領域を含む。結像領域は、露光されているウェハ３０の範囲に隣接する領域（エリア）と、光エネルギーのビームが光学アセンブリ１６とウェハ３０の間を進行する領域（エリア）を含む。この設計では、環境システム２６は結像領域の環境を制御することができる。環境システム２６によってギャップに生成及び／又は制御される所望の環境は、ウェハ３０と、照明システム１４を含むリソグラフィマシン１０の残りの要素の設計に基づいて変更することができる。例えば、所望の制御された環境は、水のような流体にすることができる。あるいは、所望の制御された環境は、ガスのような別の種類の流体にすることもできる。様々な実施形態において、ギャップは、ウェハ３０の上面と光学アセンブリ１６の終端の光学素子との間の高さにおいて０．１ｍｍ〜１０ｍｍの範囲であってもよい。
【００２９】
ある実施形態において、環境システム２６は結像領域及びギャップの残りを液浸流体で満たす。環境システム２６及び環境システム２６の要素の設計は変更することができる。異なる実施形態において、環境システム２６は、スプレーノズル、動電スポンジ、多孔性の材料などを用いて、液浸流体をギャップに供給及び／又は噴射し、真空ポンプやスポンジなどを用いてギャップから液浸流体を除去する。環境システム２６の設計は変更することができる。例えば、ギャップの位置又はその近くの位置において、一点もしくはそれより多くの地点から液浸流体を噴射することができる。さらに液浸流体システムは、ワークピース３０、ギャップ及び／若しくは光学アセンブリ１６の端部の位置又はそれらの近くの位置における一点もしくはそれより多くの地点で、液浸流体を除去すること及び／又は排出することを補助することができる。様々な環境システムについてのさらなる詳細に関しては、２００３年４月９日に出願された”液浸リソグラフィ流体制御システム（Immersion Lithography Fluid Control System）”と題する米国仮出願第６０／４６２，１４２号、２００３年４月１０日に出願された”液浸リソグラフィ用真空環状システム及びウィック環状システム（Vacuum Ring System and Wick Ring System for Immersion Lithography）”と題する米国仮出願第６０／４６２，１１２号及び２００４年２月２日に出願された” 液浸リソグラフィ用のノズルデザイン（Nozzle Design for Immersion Lithography）”と題する米国仮出願第６０／５４１／３２９号が参照され、さらにこれらは全てここに援用して本文の記載の一部とする。
【００３０】
図２には、本発明の一実施形態を示すリソグラフィマシンの断面図が示されている。リソグラフィマシン２００は、光学アセンブリ１６と、ウェハテーブル２０４及びウェハステージ２０６を有するステージアセンブリ２０２とを備える。ウェハテーブル２０４は、光学アセンブリ１６の下方にウェハ２０８（もしくは他のタイプのワークピース）を支持するように構成されている。光学アセンブリ１６を取り囲む環境システム２６は、ウェハ２０８と光学アセンブリ１６の終端の光学素子との間のギャップに液浸流体２１２を供給し、そこから液浸流体２１２を除去するために用いられる。ウェハローダ２１８（例えばロボット）及びアライメントツール２２０（例えば顕微鏡及びＣＣＤカメラ）を備えるワークピース交換システム２１６は、ウェハテーブル２０４上のウェハ２０８を取り出し、それを第２ウェハに置換するように構成されている。このことは、典型的には、ウェハ２０８をウェハテーブル２０４から持ち上げて取り出すためのウェハローダ２１８を用いて達成される。続いて、第２ウェハ（不図示）は、ウェハチャック２１８上に置かれ、アライメントツール２２０を用いてアライメントが行われ、その後ウェハテーブル２０４上で光学アセンブリ１６の下方に位置付けられる。
【００３１】
この実施形態において、ウェハステージ２０６は、ウェハ交換中に光学アセンブリ１６の終端の光学素子に隣接するギャップに液浸流体２１２を維持するように構成される液浸流体維持システム２１４を含む。液浸流体維持システム２１４は、ウェハテーブル２０４に隣接するパッド２２２を含む。パッド２２２とウェハステージ２０６の間に設けられた支持部材２２４は、パッド２２２を支持するために用いられる。ウェハテーブル２０４は、ウェハ２０８の表面と面一である平坦な上面を有する。パッド２２２も、ウェハテーブル２０４の上面及びウェハ表面に面一である平坦な上面を有する。パッド２２２は、非常に小さなギャップ（例えば０．１−１．０ｍｍ）でウェハテーブル２０４に隣接して配置されるので、液浸流体２１２はウェハテーブル２０４とパッド２２２の間を漏れることなく移動することができる。ウェハ交換の間、ウェハステージ２０６は矢印２２６の向きに移動し、パッド２２２は、流体をギャップに維持しつつ、または流体ギャップのサイズを維持しつつ、ウェハテーブル２０４の代わりに光学アセンブリ１６の下方に位置付けられる。新しいウェハが位置決めされた後、ウェハステージは元の位置に戻り、パッド２２２はギャップから取り出されて、第２ウェハが光学アセンブリ１６の下方に位置付けられる。様々な実施形態において、パッド２２２はウェハテーブル２０４に隙間なく密着して配置される。ウェハテーブル２０４の垂直方向の位置及び／又は傾きは調整可能であり、ウェハテーブル２０４が光学アセンブリ１６の下方から送り出される前は、ウェハテーブルの表面はパッド表面と面一である。パッド２２２と光学アセンブリ１６の間のギャップを維持することは、ウェハ交換の操作のみに限られない。パッド２２２は、アライメント操作中もしくは測定操作中に、パッド２２２と光学アセンブリ１６との間の隙間に液浸流体２１２を維持するための十分な大きさにすることができる。これらの動作において、液浸流体２１２で占められる領域の一部はウェハテーブル２０４の上面にあってもよい。
【００３２】
図３Ａ及び３Ｂには、本発明の別の実施形態に係る別の液浸リソグラフィマシンの断面図及び平面図が示されている。リソグラフィマシン３００は、光学アセンブリ１６と、ウェハテーブル３０４及びウェハステージ３０６を含むステージアセンブリ３０２とを含む。ウェハテーブル３０４は、ウェハ３０８（もしくは別のタイプのワークピース）を光学アセンブリ１６の下方に支持するように構成されている。光学アセンブリ１６を取り囲む環境システム２６を用いて、ウェハ３０８と光学アセンブリ１６の最下部の光学素子との間のギャップに液浸流体３１２を供給し、そこから液浸流体３１２を除去する。ウェハーローダー３１８とアライメントツール３２０を含むワークピース交換システム３１６は、ウェハテーブル３０４上のウェハ３０８を取り出し、それを第２ウェハに置き換えるように構成されている。このことはウェハテーブル３０４からウェハ３０８を取り出すためにウェハローダー３１８を使用することによって達成される。続いて、第２ウェハ（不図示）がウェハチャック３１８上に置かれ、アライメントツール３２０を用いてアライメントされ、その後、光学アセンブリ１６の下方に位置付けられる。図３Ｂに最も分かり易く示されるように、モーターの組３２２を用いて、ウェハテーブル３０４及びウェハステージ３０６を含むウェハアセンブリ３０２を、操作中に２つの自由度（Ｘ及びＹ）で駆動する。上で述べたように、モーター３２２は、リニアモーター、ロータリーモーター、ボイスコイルモーターのような任意のタイプのモーターにすることができる。
【００３３】
液浸リソグラフィマシン３００はまた、ウェハテーブル３０４が光学アセンブリの下方から離れている間、光学アセンブリ１６の下方の空間に液浸流体３１２を維持するように構成される液浸流体維持システム３２４を含む。液浸流体維持システム３２４は、パッド３２６、モーター３２８及び制御システム３３０を含む。パッド３２６は、光学アセンブリ１６とウェハテーブル２０４に隣接して位置決めすることができる。ウェハテーブル３０４は、ウェハ３０８の上面と面一である平坦な上面を有する。パッド３２６は、ウェハテーブル３０４の上面及びウェハ表面と面一である平坦な上面を有する。パッド３２６は、制御システム３３０により制御されるモーター３２８を用いて、Ｘ及びＹ方向に移動可能である。モーター３２８は、モーター３２２と同様に任意のタイプのモーターも使用することができる。ウェハテーブル３０４（ウェハステージ３０６）が光学アセンブリ１６の下方から離れているときに、パッド３２６は光学アセンブリ１６の下方に位置付けられる。ウェハ交換の間、ウェハテーブル３０４は光学アセンブリ１６から遠ざかる。同時に、制御システム３３０は、モーター３２８に光学アセンブリ１６の下にウェハテーブル３０８に代わってパッド３２６を移動させるように指令する。このようにして、パッド３２６は光学アセンブリ１６の下方のギャップに液浸流体３１２を維持する。新しいウェハがアライメントツール３２０を用いてアライメントされた後、ウェハテーブル３０４は光学アセンブリ１６の下方に再び位置付けられる。同時に、制御システム３３０は、モーター３２８に液浸流体３１２の漏出を防ぎつつ、ギャップからパッド３２６を撤退するように指令する。ウェハ交換操作中に、制御システム３３０はウェハテーブル３０４とパッド３２６の間を小さなギャップに維持しつつ、ウェハテーブル３０４とパッド３２６を駆動し、その間に光学アセンブリ１６の下方の液浸流体３１２がウェハテーブル３０４とパッド３２６の間を移動する。したがって、液浸流体維持システム３２４はウェハ交換の間、ギャップに液浸流体３１２を維持する。この実施形態において、ウェハテーブル３０４（ウェハステージ３０６）及びパッド３２６は個別に動作可能である。それゆえ、液浸流体３１２がパッド３２６と光学アセンブリ１６との間の空間に維持されている間、ウェハテーブル３２６は自由に移動可能である。本発明の様々な実施形態において、制御システム３３０は分離した制御システムにしてもよく、またはウェハステージ３０２及びウェハテーブル３０４を位置決めするためのモーター３２２を制御するために用いる制御システムに組み込むこともできる。ウェハテーブル３０４とパッド３２６の少なくとも一方の垂直方向の位置及び／又は傾きを調整して、ウェハテーブルが光学アセンブリの下方から送り出される前に、ウェハテーブルの表面をパッドの表面と面一にしてもよい。ウェハテーブル３０４を光学アセンブリ１６から遠ざける操作は、ウェハ交換の操作に限定される必要はない。例えば、アライメント操作、測定操作もしくは他の操作を、パッド３２６と光学アセンブリ１６との間の空間に液浸流体３１２を維持している間に実行しうる。
【００３４】
図４Ａ及び４Ｂを参照すると、液浸リソグラフィマシンの２つの断面図が示されている。リソグラフィマシン４００は、光学アセンブリ１６と、ウェハテーブル４０４及びウェハステージ４０６を含むステージアセンブリ４０２とを備える。ウェハテーブル４０４は光学アセンブリ１６の下方にウェハ４０８（または他のタイプのワークピース）を支持するように構成されている。光学アセンブリ１６を取り囲む環境システム２６は、ウェハ４０８と光学アセンブリ１６の最下部の光学素子の間のギャップに液浸流体４１２を供給し、そこから液浸流体４１２を除去するのに用いられる。ウェハローダー４１８とアライメントツール４２０を含むワークピース交換システム４１６は、ウェハテーブル４０４上のウェハ４０８を取り出して、第２ウェハに置き換えるように構成されている。このことは、ウェハローダー４１８を用いてウェハテーブル４０４からウェハ４０８を取り出すことによって達成される。続いて、第２ウェハ（不図示）がウェハチャック４１８上に置かれ、アライメントツール４２０を用いてアライメントされ、その後、図４Ａに示されるように光学アセンブリ１６の下方に位置付けられる。
【００３５】
液浸リソグラフィマシン４００はまた、ウェハテーブル４０４が光学アセンブリ１６の下方から離れている間、光学アセンブリ１６の下方の空間に液浸流体４１２を維持するように構成される液浸流体維持システム４２４を含む。液浸流体維持システム４２４は、パッド４２６と、光学アセンブリ１６に設置される第１クランプ４２８と、ウェハテーブル４０４に設置される第２クランプ４３０とを含む。液浸流体４１２が光学アセンブリ１６とウェハテーブル４０４（またはウェハ４０８）の間にあるとき、パッド４２６はウェハテーブル４０４上の適切な位置に第２クランプ４３０によって保持される。例えばウェハ交換操作の間のように、ウェハテーブル４０４が光学アセンブリ１６から離れているとき、パッド４２６はウェハテーブル４０４から脱離して第１クランプ４２８によって保持され、光学アセンブリ１６とパッド４２６との間に液浸流体４１２を維持する。ウェハテーブル４０４は、ウェハ４０８の表面と面一である平坦な上面を有する。ウェハテーブル４０４上に支持されるパッド４２６もまた、ウェハテーブル４０４の上面とウェハ表面に面一である平坦な上面を有する。したがって、液浸パッド４２６とウェハ４０８は、液浸流体をリークすることなく光学アセンブリの下方で移動することが可能である。様々な実施形態において、クランプ４２８及び４３０は、真空クランプ、磁気クランプ、静電クランプもしくはメカニカルクランプにすることができる。
【００３６】
図４Ａに最良に示されているように、ウェハ４０８の露光中、パッド４２６はウェハテーブル４０４上に位置付けられる。第２クランプ４３０を用いてウェハの露光中にテーブル４０４上の適切な位置にパッド４２６を保持する。図４Ｂに示されるようなウェハの交換中に、ウェハテーブル４０４は矢印４３２の向きに移動して、パッド４３２をウェハ４０８の代わりに光学アセンブリ１６の下方に位置付ける。この場合には、パッド４２６をウェハテーブル４０４に保持している第２クランプ４３０は開放しつつ、第１クランプ４２８がパッド４２６を光学アセンブリ１６にクランプする。その結果、ウェハ４０８が交換される間、液浸流体４１２は光学アセンブリの下方に維持される。新しいウェハがアライメントされた後、ウェハテーブル４０４は矢印４３２と逆の向きに移動して、新しいウェハが光学アセンブリの下方に位置付けられる。この動作に先立って、第１クランプ４２８は開放されつつ、第２クランプ４３０が再びパッド４２６をウェハテーブル４０４に固定する。本実施形態においては、第１クランプ４２８によってパッド４２６がクランプされている間、ウェハテーブル４０４は自由に移動可能である。
【００３７】
様々な実施形態において、パッド４２６が第１クランプ４２８によってクランプされる動作は、ウェハ交換動作のみに限られない。アライメント動作、測定動作、もしくは他の動作は、液浸流体３１２が光学アセンブリ１６と第１クランプ４２８により固定されているパッド４２６との間の空間に維持されている間に実行することができる。また、クランプ４２８はフレーム１２又は他の支持部材に設けることができ、クランプ４３０はウェハステージ４０６上に設けることができる。パッド４２６はステージアセンブリ４０２以外の可動部材上に保持することができる。
【００３８】
図５Ａ及び５Ｂは、本発明の他の実施形態に従う、２つの異なるツインステージ液浸リソグラフィシステムの平面図である。ツインステージリソグラフィシステムの基本的な構造及び操作については、米国特許第６，２６２，７９６号及び米国特許第６，３４１，００７号を参照のこと。許容される範囲において、米国特許第６，２６２，７９６号及び米国特許第６，３４１，００７号の開示をここに援用して本文の記載の一部とする。両方の実施形態において、一対のウェハステージＷ１及びＷ２が示されている。モーター５０２を用いて、２つのステージＷＳ１及びＷＳ２を水平方向に移動又は位置決めする。その一方で、モーター５０４を用いて、ステージＷＳ１及びＷＳ２を垂直方向に移動又は位置決めする。モーター５０２及び５０４を用いて一方のステージを光学アセンブリ１６の下方に交互に位置付け、別のステージでウェハ交換及び位置決めを行う。光学アセンブリ１６の下方のウェハの露光が完了したとき、２つのステージは入れ替えられて、上記のプロセスが繰り返される。図２〜４に関連してこれまでに述べられ且つ例示されたような、光学アセンブリ１６の下方のギャップに液浸流体を維持するための本発明の様々な実施形態は、いずれかの構成と共に、いずれかのツインステージの構造に使用することができる。例えば、図２の実施形態に関連して、図５Ａ又は５Ｂのいずれかの各ウェハステージＳＷ１及びＳＷ２は、パッド２２２及び支持部材２２４を含むように変更することができる。図３の実施形態に関連して、単一のパッド３２６、モーター３２８及び制御システム３３０は、光学アセンブリ１６に隣接して使用することができる。パッド３２６はステージＳＷ１及びＳＷ２とは別個に動作可能である。ステージＳＷ１とＳＷ２が入れ替えられている間、光学アセンブリ１６の下方に液浸流体３１２を維持するために、パッド３２６は光学アセンブリ１６の下方に移動する。最後に図４の実施形態に関して、取り外し可能な単一のパッドを用いることができる。ステージＳＷ１及びＳＷ２が入れ替えられる間、図４Ｂに示されるように、パッド４２６はギャップに液浸流体を維持するために用いられる。その一方、露光中には、パッドは、露光されているウェハステージ上のウェハテーブルの上にクランプされる。このようにすれば、単一のパッドのみが２つのステージＷＳ１及びＷＳ２に対して必要とされる。その代わりに、以下で説明するように、第２ステージをパッドとして使用することもできる。
【００３９】
図６Ａには、本発明を実施する一つの実施形態を示すツインステージリソグラフィマシンの平面図が示されている。本実施形態において、液浸リソグラフィシステム６００は第１ステージ６０４と第２ステージ６０６を備える。２つのステージはモーター６０２によってＸ及びＹ方向に移動される。本実施形態においては、ステージ６０４及び６０６自体は、ギャップに液浸流体を維持するように用いられる。例えば、図に示されているように、第１ステージ６０４は光学アセンブリ１６の下方に位置付けられる。ワークピースが交換されるときには、モーター６０２を用いて、第２ステージ６０６を第２ワークピースと共に、第１ステージ６０４に隣接して位置決めされる。近接して配置される２つのステージにより、それらは連続的な表面を実質的に形成する。次いで、モーター６０２を用いて２つのステージを一体的に動かすことにより、第２ステージ６０４が光学アセンブリ１６の下方に位置付けられ、第１ステージはもはや光学アセンブリ１６の下方からいなくなる。それゆえ、第１ワークピースが光学アセンブリ１６から離れるとき、ギャップの液浸流体は、第１ステージとほぼ連続な面を形成する第２ステージによって維持される。別の様々な実施形態において、第２ステージ６０６は、第２ワークピースが第１ステージの上に置かれている間、ギャップに液浸流体を維持するために用いられるパッドを備える”パッド”ステージとすることも可能である。同様に、図５Ａ又は５Ｂのいずれかに示されるモーターの構成を用いることが可能である。
【００４０】
図６Ｂ−６Ｅを参照すると、本発明の実施形態に従うワークピースの交換を表す一連の図が示されている。図６Ｂは、露光が完了した後のステージ６０４上のウェハを示す。図６Ｃは、光学アセンブリ１６の下方の第１ステージ６０４と接している（もしくはすぐ隣にある）第２ステージ６０６を示している。図６Ｃは、起こっている配置替え、即ち、第２ステージ６０６が光学アセンブリ１６の下方に位置付けられることを示している。最後に、図６Ｅにおいて、第１ステージ６０４は光学アセンブリ１６から遠ざかる。図６Ｃ及び６Ｄに最良に図示されるように、２つのステージ６０４及び６０６は、配置替えの間、光学アセンブリ１６の下方に連続な表面をもたらし、それゆえギャップに液浸流体が維持される。示された実施形態において、第２ステージ６０６はパッドステージである。しかし、このステージは上述したようにワークピースステージであることも可能である。
【００４１】
上記の様々な実施形態において、パッドはセラミックス、金属、プラスチックのような複数の異なる材料で作られていてもよい。他の実施形態によれば、これらの材料は、テフロン（登録商標）でコーティングされていてもよい。また、パッドは液浸流体によって占められる領域を覆うのに十分な大きさにするべきである。上記の様々な実施形態において、光学アセンブリ１６の終端の光学素子の表面は、流体マーク（いわゆる”ウォーターマーク（a water mark）”）の形成を妨げつつ、常に液浸流体の環境下にある。
【００４２】
半導体ウェハは、上記のシステムを用いて、一般に図７Ａに示したプロセスによって製造されることができる。工程７０１において、ワークピースの機能及び性能特性が設計される。次に、工程７０２において、パターンを有するマスク（レチクル）が先の設計工程に従って設計され、並行する工程７０３において、ウェハはシリコン材料で製造される。工程７０２で設計されたマスクパターンは、工程７０４において、本発明に従ってこれまでに記載したフォトリソグラフィシステムによって、工程７０３で製造されたウェハ上に露光される。工程７０５において、半導体ワークピースは組み立てられ（ダイシング工程、ボンディング工程及びパッケージング工程を含む）、最終的に、ワークピースは工程６０６において検査される。
【００４３】
図７Ｂは、半導体ワークピース製造の場合における、上記工程７０４の詳細なフローチャートの例を示している。図７Ｂにおいて、工程７１１（酸化工程）では、ウェハ表面が酸化される。工程７１２（ＣＶＤ工程）では、絶縁薄膜がウェハ表面に形成される。工程７１３（電極形成工程）では、蒸着によってウェハ表面上に電極が形成される。工程７１４（イオン注入工程）では、イオンがウェハ内に注入される。上記の工程７１１−７１４は、ウェハ加工処理中のウェハに対する前処理工程を形成し、加工処理の要請に従って各々の工程が選択される。
【００４４】
ウェハ加工処理の各々の段階において、前記前処理工程が完了したとき、以下の後処理工程が実行される。後処理工程の間、先ず、工程７１５（フォトレジスト形成工程）において、フォトレジストがウェハに塗布される。次に、工程７１６（露光工程）において、上記の露光ワークピースを用いて、マスク（レチクル）の回路パターンをウェハに転写する。その後、工程７１７（現像工程）において、露光されたウェハが現像され、工程７１８（エッチング工程）において、残存したフォトレジスト以外の部分（露光された材料表面）がエッチングによって取り除かれる。工程７１９（フォトレジスト除去工程）において、エッチング後に残存する不必要なフォトレジストが除去される。
【００４５】
多重の回路パターンが、これらの前処理工程及び後処理工程を繰り返すことによって形成される。
【００４６】
本願に示され、開示されている特定のリソグラフィマシンは、十分に目標を達成することができ、本願で以前に述べた利点を十分に提供することができるが、それは単に発明の現時点の好ましい実施形態の例示であり、添付の請求の範囲に記載されたこと以外に、本願に示されている構造や設計の詳細に限定するものではないと解されるべきである。
【符号の説明】
【００４７】
１０…リソグラフィックマシン、１６…光学アセンブリ、２０２…ステージアセンブリ、２０４…ワークピーステーブル
【図１】
0005556798.tif 000002
【図２】
0005556798.tif 000003
【図３】
0005556798.tif 000004
【図４】
0005556798.tif 000005
【図５】
0005556798.tif 000006
【図６−１】
0005556798.tif 000007
【図６−２】
0005556798.tif 000008
【図７−１】
0005556798.tif 000009
【図７−２】
0005556798.tif 000010